(57)【要約】【課題】モニタの有無に応じた再生モードの設定を、ＤＶＤ−Ａｕｄｉｏ以外のメディアにも有効に活用できるようにするとともに、最小限の操作で映像なしの意図するディスクを再生できるようにする。【解決手段】映像再生を必要とするＶＣＡＰモードが設定されているときは映像系ディスク（Ｖｉｄｅｏ−ＣＤ、ＤＶＤ−Ｖｉｄｅｏ）への切り替えを許可し、映像再生を必要としないＡＯＰモードが設定されているときは映像系ディスクへの切り替えを禁止することにより、ＤＶＤ−Ａｕｄｉｏ向けに規格化された再生モードの設定をそれ以外のメディアにも有効に活用し、ＡＯＰモードに設定しておけば、モニタへの再生が必要とされない音声系ディスク（ＣＤ−ＤＡ、ＤＶＤ−Ａｕｄｉｏ）だけを選択的に切り替えて再生できるようにする。【選択図】        図２
2004296022.tif 000002
【特許請求の範囲】
【請求項１】
映像再生を必須とする映像系ディスクおよび映像再生を必須としない音声系ディスクを含む複数種類のディスクを収納可能なディスク収納庫と、当該ディスク収納庫からディスクを１枚ずつ取り出して再生する再生手段とを備えたディスクチェンジャーであって、
映像再生を必要とする第１の再生モードと、映像再生を必要としない第２の再生モードとの何れかに設定された再生モードの情報を格納するモード情報記憶手段と、
上記第１のモードが設定されているときは、上記ディスク収納庫に収納されている映像系ディスクへの切り替えを許可し、上記第２のモードが設定されているときは、上記ディスク収納庫に収納されている映像系ディスクへの切り替えを禁止するように制御する切替制御手段とを備えたことを特徴とするディスクチェンジャー。
【請求項２】
上記切替制御手段は、上記第２のモードが設定されている場合でも、上記ディスク収納庫内で上記映像系ディスクが収納されているディスク番号が指定されたときには、上記映像系ディスクへの切り替えを許可するように制御することを特徴とする請求項１に記載のディスクチェンジャー。
【請求項３】
モニタの接続の有無を検出するモニタ検出手段と、
上記モニタ検出手段により上記モニタの接続が検出された場合には上記第１の再生モード、上記モニタ検出手段により上記モニタの接続が検出されなかった場合には上記第２の再生モードを設定し、上記モード情報記憶手段に上記再生モードの情報を格納する再生モード設定手段とを備えたことを特徴とする請求項１に記載のディスクチェンジャー。
【請求項４】
映像再生を必須とする映像系ディスクおよび映像再生を必須としない音声系ディスクを含む複数種類のディスクを収納可能なディスク収納庫と、当該ディスク収納庫からディスクを１枚ずつ取り出して再生する再生手段とを備えたディスクチェンジャーにおいて、
映像再生を必要とする第１の再生モードが上記ディスクチェンジャーに設定されているときは、上記映像系ディスクおよび上記音声系ディスクの双方を含めてディスクの切り替えを行い、映像再生を必要としない第２の再生モードが設定されているときは、上記音声系ディスクだけの切り替えを行うようにしたことを特徴とするディスク切替方法。
【請求項５】
上記第２のモードが設定されている場合でも、上記ディスク収納庫内で上記映像系ディスクが収納されているディスク番号が指定されたときには、当該指定された映像系ディスクへの切り替えを行うことを特徴とする請求項４に記載のディスク切替方法。
【発明の詳細な説明】
【０００１】
【発明の属する技術分野】
本発明はディスクチェンジャーおよびディスク切替方法に関し、特に、ＤＶＤ（Ｄｉｇｉｔａｌ  Ｖｅｒｓａｔｉｌｅ  Ｄｉｓｋ）やＣＤ（Ｃｏｍｐａｃｔ  Ｄｉｓｃ）など異なる種類のディスクを１つの収納庫内に複数枚収納し、何れかのディスクを選択的に再生する機能を有する再生装置に用いて好適なものである。
【０００２】
【従来の技術】
従来、データを記録するための記録媒体として、多種多様なメディアが提供されている。現在では、大容量のデータを記録することができる便利さが受けて、ＣＤやＤＶＤが広く普及している。車載用のＡＶ（Ａｕｄｉｏ  Ｖｉｓｕａｌ）装置においても、ＣＤやＤＶＤの再生装置が存在する。
【０００３】
ＣＤには、ＣＤ−ＤＡ（Ｃｏｍｐａｃｔ  Ｄｉｓｃ  Ｄｉｇｉｔａｌ  Ａｕｄｉｏ）と呼ばれる音楽用ＣＤの他に、映像と音声とを記録したＶｉｄｅｏ−ＣＤと呼ばれる映像用ＣＤも存在する。Ｖｉｄｅｏ−ＣＤにおいて映像は、ＭＰＥＧ１（Ｍｏｖｉｎｇ  Ｐｉｃｔｕｒｅ  ｃｏｒｄｉｎｇ
Ｅｘｐｅｒｔｓ  Ｇｒｏｕｐ  １）方式で圧縮して記録されている。
【０００４】
また、ＤＶＤには、ＤＶＤ−Ａｕｄｉｏと呼ばれる音楽用ＤＶＤの他に、映像と音声とを記録したＤＶＤ−Ｖｉｄｅｏと呼ばれる映像用ＤＶＤが存在する。ＤＶＤ−Ｖｉｄｅｏにおいて映像は、ＭＰＥＧ２（Ｍｏｖｉｎｇ  Ｐｉｃｔｕｒｅ  ｃｏｒｄｉｎｇ  Ｅｘｐｅｒｔｓ  Ｇｒｏｕｐ  ２）方式で圧縮して記録されている。
【０００５】
映像が記録されているＶｉｄｅｏ−ＣＤやＤＶＤ−Ｖｉｄｅｏでは、ディスク内部に独自のメニュー情報が格納されており、これに従って画面表示されたメニュー映像を通じて、再生の開始や停止、音声・字幕の設定、使用チャンネルの設定、視点変更などの各種操作を行う仕組みになっている。メニュー情報の内容はディスク毎に異なっており、基本的に、メニュー画面を見なければそのディスクの再生に関する操作は行うことができない。
【０００６】
音楽用のＤＶＤ−Ａｕｄｉｏの中にも、各種操作のためのメニュー映像を格納したものがある。ただし、ＤＶＤ−Ａｕｄｉｏの場合はその規格により、モニタの有無に応じて、記録されているコンテンツの再生モードを切り替えることが可能となっている。この再生モードには、映像再生を必要としない再生モードであるＡＯＰモードと、映像再生を必要とする再生モードであるＶＣＡＰモードとがある。この再生モード情報は、プレーヤに事前に設定しておく必要がある。
【０００７】
プレーヤにＶＣＡＰモードを設定しておくと、Ｖｉｄｅｏ−ＣＤやＤＶＤ−Ｖｉｄｅｏと同様にメニュー映像が画面表示される。この場合は、画面表示されたメニュー映像を通じて各種操作を行うことになる。一方、プレーヤにＡＯＰモードを設定しておくと、メニュー映像の再生が行われることはなく、モニタを使用しなくても音楽再生を通常に楽しむことができる。この場合は、そのディスクによって定められた手順に従って音楽が自動的に再生される。
【０００８】
ところで、従来、複数枚のＣＤ−ＤＡ（書込可能型コンパクトディスクおよび追記型コンパクトディスク（以下、ＣＤ−Ｒ／ＲＷと記す）等も含む）を１つのマガジンに収納し、何れかのＣＤに選択的に切り替えて再生する機能を有するＣＤチェンジャーが提供されている。また、最近では、ＣＤ−ＤＡ、Ｖｉｄｅｏ−ＣＤ、ＤＶＤ−Ｖｉｄｅｏの異なる種類のディスクを１つのマガジンに複数枚収納し、何れかのディスクに選択的に切り替えて再生する機能を有するマルチメディアチェンジャー（ＤＶＤチェンジャーとも呼ばれる）も提供されている（例えば、特許文献１参照）。
【０００９】
【特許文献１】
特開２００２−２９８４９２号公報
【００１０】
【発明が解決しようとする課題】
現在提供されている車載用のマルチメディアチェンジャーはＤＶＤ−Ａｕｄｉｏには対応していないが、今後は、ＤＶＤ−Ａｕｄｉｏの再生も可能にしたマルチメディアチェンジャーの開発が予想される。この種のマルチメディアチェンジャーでは、ＡＯＰモードおよびＶＣＡＰモードの再生モードの設定機能を設けることが必須となる。
【００１１】
しかしながら、上述の再生モードは、ＤＶＤ−Ａｕｄｉｏに定められた規格であり、その他のＣＤ−ＤＡ、Ｖｉｄｅｏ−ＣＤ、ＤＶＤ−Ｖｉｄｅｏに対しては設定が無効となる。そのため、ＣＤ−ＤＡ、Ｖｉｄｅｏ−ＣＤ、ＤＶＤ−Ｖｉｄｅｏに関しては、再生モードがＡＯＰモードあるいはＶＣＡＰモードの何れに設定されているかにかかわらず、ディスク切替（シーケンス再生による自動切替またはディスクＵｐ／Ｄｏｗｎのスキップ操作による手動切替）によって再生順番が来れば、必ずその再生が行われることとなる。
【００１２】
ところが、マルチメディアチェンジャーを使って音楽だけを楽しみたいというユーザも存在する。この場合には、マルチメディアチェンジャーに対してモニタが接続されていないことがある。ＤＶＤ−Ａｕｄｉｏの場合は、ＡＯＰモードの設定によりモニタが無くても通常に音楽再生を楽しむことができる。しかし、ＡＯＰモードの設定に関わらず再生されてしまうＶｉｄｅｏ−ＣＤやＤＶＤ−Ｖｉｄｅｏの場合は、モニタが無いと通常に再生を楽しむことができない。
【００１３】
この場合は、マルチメディアチェンジャーのスキップボタン等を操作して次のディスクに切り替える必要がある。そのため、映像の再生が要らないディスクに切り替えて再生するために余分なスキップ操作が必要となり、非常に面倒であるという問題が生じる。
【００１４】
また、マルチメディアチェンジャーにモニタが接続されている場合でも、運転者が一人で搭乗している場合は、運転の安全上、走行中に映像の出るディスクを再生するのは好ましくない。しかしながら、ＡＯＰモードはＶｉｄｅｏ−ＣＤやＤＶＤ−Ｖｉｄｅｏには無効なため、ディスク切替によって再生順番が来れば映像の再生が行われてしまう。この場合も、映像が出ないディスクに切り替えて再生するために余分なスキップ操作が必要となり、運転の注意力が削がれるという問題が生じる。
【００１５】
本発明は、このような実情に鑑みて成されたものであり、モニタの有無に応じた再生モードの設定を、ＤＶＤ−Ａｕｄｉｏだけでなく、マルチメディアチェンジャーに収納可能な全てのメディアに対して有効に活用できるようにすることを目的とする。
また、本発明は、最小限の操作で映像なしの意図するディスクを再生できるようにすることを目的とする。
【００１６】
【課題を解決するための手段】
上記した課題を解決するために、本発明のディスクチェンジャーでは、映像再生を必要とする第１の再生モードが設定されているときは映像系ディスクへの切り替えを許可し、映像再生を必要としない第２の再生モードが設定されているときは映像系ディスクへの切り替えを禁止するようにしている。
【００１７】
このように構成した本発明によれば、映像再生を必要とするか否かの再生モードの設定が、ＤＶＤ−Ａｕｄｉｏだけでなく、その他のメディアに対しても有効に活用される。この場合、映像再生を必要としない第２の再生モードが設定されているときは、映像系ディスク（例えばＶｉｄｅｏ−ＣＤ、ＤＶＤ−Ｖｉｄｅｏ）は自動的に飛ばされ、音声系ディスク（例えばＤＶＤ−Ａｕｄｉｏ、ＣＤ−ＤＡ）のみが選択的に切り替えられることとなる。
【００１８】
【発明の実施の形態】
以下、本発明の一実施形態を図面に基づいて説明する。
図１は、本発明のディスクチェンジャーを実施したマルチメディアチェンジャー１を含む車載用ＡＶシステム１０の全体構成例を示すブロック図である。図１に示すように、本実施形態の車載用ＡＶシステム１０は、マルチメディアチェンジャー１、マルチメディアマネージャ２、その他のＡＶ機器３、モニタ４およびスピーカ５を備えて構成されている。
【００１９】
マルチメディアチェンジャー１は、ＣＤ−ＤＡ、Ｖｉｄｅｏ−ＣＤ、ＤＶＤ−Ｖｉｄｅｏ、ＤＶＤ−Ａｕｄｉｏ等を含む異なる種類のディスクを１つのディスク収納庫（マガジン）に複数枚収納し、何れかのディスクに選択的に切り替えながら再生する機能を有する再生装置である。このマルチメディアチェンジャー１の内部構成については後述する。
【００２０】
マルチメディアマネージャ２は、車載用ＡＶシステム１０の全体を制御するものである。マルチメディアチェンジャー１のディスクＵｐ／Ｄｏｗｎあるいはディスク番号指定によるディスク切替指示は、このマルチメディアマネージャ２から行う。マルチメディアチェンジャー１に対する再生指示等も、このマルチメディアマネージャ２から行う。これらの指示をユーザが行うために、マルチメディアマネージャ２には各種操作子が設けられている。
【００２１】
また、このマルチメディアマネージャ２には、マルチメディアチェンジャー１のほかに、その他のＡＶ機器３も接続されている。その他のＡＶ機器３は、例えばＭＤ（Ｍｉｎｉ  Ｄｉｓｃ）プレーヤ、カセットデッキプレーヤ、ＡＭ／ＦＭラジオチューナなどである。これらのＡＶ機器３に対する再生指示等もマルチメディアマネージャ２から行うことが可能である。その他、マルチメディアマネージャ２を用いて車室内音響のカスタマイズ等を行うことも可能である。なお、その他のＡＶ機器３は本実施形態において必須の構成ではない。
【００２２】
上述のマルチメディアチェンジャー１にはモニタ４が接続され、マルチメディアマネージャ２にはスピーカ５が接続されている。ただし、モニタ４の接続は任意である。例えば、映像再生を必須とするＤＶＤ−Ｖｉｄｅｏ、Ｖｉｄｅｏ−ＣＤ等の映像系ディスクも楽しみたい場合にはモニタ４の接続は必須である。一方、映像再生を必須としないＣＤ−ＤＡ、ＤＶＤ−Ａｕｄｉｏ等の音声系ディスクを専ら楽しむ場合には、モニタ４の接続は必須でない。
【００２３】
本実施形態では、このようなモニタ４の有無に応じて、ＶＣＡＰモード（映像再生を必要とする第１の再生モード）と、ＡＯＰモード（映像再生を必要としない第２の再生モード）との何れかをマルチメディアチェンジャー１に設定する。再生モードの設定方法はいくつか考えられる。
【００２４】
例えば、マルチメディアマネージャ２の筐体あるいは図示しないリモートコントローラ（リモコン）に備えられたモード設定ボタンをユーザが操作することにより、再生モードをマルチメディアマネージャ２からマルチメディアチェンジャー１に設定することが可能である。
【００２５】
また、マルチメディアチェンジャー１にモニタ４が接続されている場合は、マルチメディアマネージャ２からの指示に従ってマルチメディアチェンジャー１がモニタ４上に再生モード設定用のメニュー画面を表示する。そして、このメニュー画面をユーザがリモコン等を用いて操作することにより、再生モードをマルチメディアチェンジャー１に設定することも可能である。
【００２６】
さらに、モニタ４の接続の有無に応じてマルチメディアチェンジャー１が自動的に再生モードを設定することも可能である。例えば、マルチメディアチェンジャー１がモニタ４への接続端子から所定の信号を送出し、それに対する応答信号を受信したか否かによってモニタ４の接続の有無を検出する。そして、モニタ４の接続が検出された場合にはＶＣＡＰモード、モニタ４の接続が検出されなかった場合にはＡＯＰモードを自動的に設定する。この場合、マルチメディアチェンジャー１は本発明のモニタ検出手段および再生モード設定手段を構成する。
【００２７】
次に、上記のように構成した車載用ＡＶシステム１０の一般的な再生動作について説明する。マルチメディアチェンジャー１に収納されている映像系ディスクを再生するとき、マルチメディアチェンジャー１は、マルチメディアマネージャ２からの再生指示に従って映像系ディスクの再生を行う。再生された映像はモニタ４に表示され、音声はマルチメディアマネージャ２を介してスピーカ５から出力される。
【００２８】
一方、マルチメディアチェンジャー１に収納されている音声系ディスクのうちＣＤ−ＤＡを再生するとき、マルチメディアチェンジャー１は、マルチメディアマネージャ２からの再生指示に従って当該ＣＤ−ＤＡの再生を行う。再生された音声はマルチメディアマネージャ２を介してスピーカ５から出力される。また、ＤＶＤ−Ａｕｄｉｏを再生する場合において、ＡＯＰモードが設定されているときはＣＤ−ＤＡと同様であるが、ＶＣＡＰモードが設定されているときは、再生されたメニュー映像等がモニタ４に表示されるとともに、音声がマルチメディアマネージャ２を介してスピーカ５から出力される。
【００２９】
次に、マルチメディアチェンジャー１に設定されている再生モードに応じた再生動作（ディスク切替動作）の違いについて説明する。ここでは図２に示すように、マルチメディアチェンジャー１のマガジン内に６枚のディスクが収納され、ディスク番号１〜６の各スロットにＤＶＤ−Ａｕｄｉｏ、ＤＶＤ−Ｖｉｄｅｏ、ＣＤ−ＤＡ、Ｖｉｄｅｏ−ＣＤ、ＤＶＤ−Ａｕｄｉｏ、ＣＤ−ＤＡが収納されているものとする。
【００３０】
このように収納された６枚のディスクをディスク番号１から昇順に再生していく場合、ＶＣＡＰモードが設定されているときは、モニタ４を用いた再生が可能な設定となっていることから、マルチメディアチェンジャー１は映像系ディスクへの切り替えも許可する。これにより、ディスクの切り替えは
１→２→３→４→５→６→１→２→・・・
のように行われる。
【００３１】
一方、ＡＯＰモードが設定されているときは、モニタ４を用いない設定となっていることから、マルチメディアチェンジャー１は映像系ディスクへの切り替えを禁止する。これにより、ディスクの切り替えは
１→３→５→６→１→３→・・・
のように行われる。
【００３２】
このように、シーケンス再生機能による自動切替またはディスクＵｐ／Ｄｏｗｎボタンを用いたスキップ操作による手動切替によってディスクの再生が順番に行われている場合において、ＡＯＰモードが設定されていれば、ユーザの意図しない映像系ディスクは飛ばされ、音声系ディスクのみが順に再生されるようになる。ただし、ＡＯＰモードが設定されている場合でも、映像系ディスクが収納されているディスク番号を直接指定する操作が行われたときには、ユーザがその映像系ディスクを本当に見たい場合であると考えられるので、マルチメディアチェンジャー１はその映像系ディスクへの切り替えを許可する。
【００３３】
次に、マルチメディアチェンジャー１およびマルチメディアマネージャ２の内部構成について説明する。図３は、マルチメディアチェンジャー１およびマルチメディアマネージャ２の要部構成を示す機能ブロック図である。
【００３４】
図３に示すように、本実施形態のマルチメディアチェンジャー１は、当該マルチメディアチェンジャー１の作動を制御する制御部１１、マガジンに複数のディスクを収納可能なディスクドライブ１２、再生部１３、Ｄ／Ａ変換器１４、エンコーダ１５、モニタ検出部１６、再生モード設定部１７およびメモリ１８を備えて構成されている。また、マルチメディアマネージャ２は、車載用ＡＶシステム１０の全体を制御するシステムコントローラ２１、ユーザが各種の操作を行うためのリモコン等の操作部２２およびアンプ２３を備えて構成されている。
【００３５】
図３に示す構成では、マルチメディアマネージャ２のシステムコントローラ２１がマルチメディアチェンジャー１の制御部１１に制御信号を出力することにより、マルチメディアチェンジャー１とマルチメディアマネージャ２とを全体で一つのマルチメディアプレーヤとして統一的に動作させることができるようにしている。
【００３６】
制御部１１は、システムコントローラ２１からの指示に従って、ディスクドライブ１２のマガジン内に収納されたディスクの切り替えや、再生部１３におけるディスクの再生、停止、早送り、ボリューム設定等の各種再生制御を行う。
【００３７】
ディスクドライブ１２は、映像系ディスクおよび音声系ディスクを含む複数枚のディスクを収納可能なマガジンを備えている。また、マガジン内のディスクを１枚ずつプレーヤにかけて、それをモータにより回転するとともに、ディスクの半径方向にピックアップを移動することによって、各位置に記録されたデータを読み取るための駆動部も備えている。
【００３８】
再生部１３は、ディスクドライブ１２の駆動部により読み出されたディスクのビットストリームをオーディオストリームとビデオストリームとに分離するストリーム分離部と、分離されたオーディオストリームを復号化処理してデジタルオーディオ信号を出力するオーディオデコーダと、分離されたビデオストリームを復号化処理してデジタルビデオ信号を出力するビデオデコーダとを備えている。
【００３９】
Ｄ／Ａ変換器１４は、再生部１３より出力されたデジタルオーディオ信号をアナログオーディオ信号に変換する。Ｄ／Ａ変換器１４より出力されたアナログオーディオ信号は、マルチメディアマネージャ２内のパワーアンプ２３を介してスピーカ５より出力される。
【００４０】
エンコーダ１５は、再生部１３から出力されたデジタルビデオ信号をアナログビデオ信号に変換する。このエンコーダ１５から出力されたビデオ信号はモニタ４に送られ、これによりモニタ４に映像が表示される。
【００４１】
モニタ検出部１６は、モニタ４の接続の有無を検出する。例えば、モニタ４への接続端子から所定の信号をモニタ４に向けて送出し、それに対する応答信号を受信したか否かによってモニタ４の接続の有無を検出する。再生モード設定部１７は、モニタ検出部１６によりモニタ４の接続が検出された場合にはＶＣＡＰモードを設定し、モニタ４の接続が検出されなかった場合にはＡＯＰモードを設定して、その再生モードの設定情報をメモリ１８に格納する。このように、メモリ１８は本発明のモード情報記憶手段を構成する。
【００４２】
メモリ１８は、上述の再生モード情報のほかに、ディスクドライブ１２の各スロットにどの種類のディスクが収納されているかを表したディスク種類の情報も格納する。ディスクドライブ１２のマガジンにディスクを収納すると、ディスクチェックが行われ、どのスロットに何のディスクが入っているのかが調べられる。そして、このディスクチェックの結果が制御部１１によってメモリ１８に格納される。
【００４３】
制御部１１がシステムコントローラ２１からの指示に従ってディスクの切り替えを行う際には、このメモリ１８内の記憶情報を参照する。すなわち、ＶＣＡＰモードとＡＯＰモードとのどちらの再生モードが設定されているかを確認し、ＶＣＡＰモードが設定されているときは、映像系ディスクと音声系ディスクとの双方を含めてディスクの切り替えを実行する。一方、ＡＯＰモードが設定されているときは、映像系ディスクへの切り替えを禁止して、音声系ディスクだけの切り替えを実行する。
【００４４】
ただし、このようなＡＯＰモードの設定時における切り替え制限は、シーケンス再生機能による自動切替またはディスクＵｐ／Ｄｏｗｎボタンを用いたスキップ操作による手動切替によってディスクの再生が順番に行われている場合のことである。ＡＯＰモードが設定されていても、映像系ディスクが収納されているディスク番号を直接指定する操作が行われたときには、その映像系ディスクへの切り替えが許可される。このように、制御部１１は本発明の切替制御手段を構成する。
【００４５】
操作部２２は、ディスクドライブ１２のマガジン内に収納された複数枚のディスクを、ディスクＵｐ／Ｄｏｗｎによって順番に切り替える操作や、メニュー映像がモニタ４に表示されたときの各種メニュー操作（再生の開始や停止、曲の選択、音声・字幕の設定、使用チャンネルの設定、視点変更など）を行うために使用する。また、操作部２２は、所望のディスク番号を指定して再生を指示するためにも使用する。
【００４６】
図４は、制御部１１によるディスクの切替動作を示すフローチャートである。図４において、制御部１１は、操作部２２によってディスクＵｐ／Ｄｏｗｎの操作が行われたか否かを判断する（ステップＳ１）。ここでは、ディスクＵｐ／Ｄｏｗｎの操作指示信号がシステムコントローラ２１から与えられたか否かを判断する。
【００４７】
ディスクＵｐ／Ｄｏｗｎの操作が行われていない場合、制御部１１は、操作部２２によって特定のディスク番号を指定する操作が行われたか否かを更に判断する（ステップＳ２）。ここでは、ディスク番号の指定信号がシステムコントローラ２１から与えられたか否かを判断する。
【００４８】
ディスク番号の指定が行われたと判断した場合、制御部１１は、その指定されたディスク番号までスキップするようにディスクドライブ１２を制御する（ステップＳ３）。そして、そのスキップしたディスクの再生を再生部１３によって行う（ステップＳ８）。このように、ディスク番号の指定が行われたときは、再生モードがＶＣＡＰモードかＡＯＰモードかに関わらず、指定されたディスク番号にスキップして再生を実行する。
【００４９】
一方、ディスク番号の指定も行われていないと判断した場合、制御部１１はディスクの切り替え制御を行わない。この場合、再生部１３は、その時点で再生すべきディスク（例えば、ディスク番号１のスロットに入っている最初のディスク、あるいは、ラストポジション再生機能が働いている場合は前回まで視聴していたディスク）の再生を行う。既に或るディスクの再生が行われている途中であれば、そのディスクの再生を継続する。
【００５０】
また、上記ステップＳ１においてディスクＵｐ／Ｄｏｗｎの操作が行われたと判断した場合、制御部１１は、メモリ１８を参照し（ステップＳ４）、再生モードがＡＯＰモードに設定されているかＶＣＡＰモードに設定されているかを判断する（ステップＳ５）。
【００５１】
ここで、ＡＯＰモードが設定されている場合、制御部１１は、映像系ディスクを飛ばして次の音声系ディスクまでスキップするようにディスクドライブ１２を制御する（ステップＳ６）。また、ＶＣＡＰモードが設定されている場合は、映像系ディスクか音声系ディスクかを問わずに次のディスク番号にスキップするようにディスクドライブ１２を制御する（ステップＳ７）。そして、どちらかの手順でスキップしたディスクの再生を再生部１３によって行う（ステップＳ８）。
【００５２】
或るディスクを再生しているときに、制御部１１は、そのディスクの再生が終了したかどうかを判断する（ステップＳ９）。そのディスクの再生が全て終了したと判断した場合は、シーケンス再生によるディスクの自動切替を行うために、ステップＳ４に戻る。また、そのディスクの再生がまだ全て終了していない場合は、ステップＳ１に戻る。この場合、ユーザが何らかの操作を行わない限り、ステップＳ１→Ｓ２→Ｓ８の処理を経てそのディスクの再生動作が継続して行われる。
【００５３】
以上詳しく説明したように、本実施形態によれば、ＤＶＤ−Ａｕｄｉｏ向けに規格されている再生モードの設定に基づいて、マルチメディアチェンジャー１のディスク切替を制御するようにしている。このとき、映像再生を必要とするＶＣＡＰモードが設定されているときは映像系ディスクへの切り替えを許可し、映像再生を必要としないＡＯＰモードが設定されているときは映像系ディスクへの切り替えを禁止するようにしている。
【００５４】
このような構成により、映像再生を必要とするか否かの再生モードの設定を、ＤＶＤ−Ａｕｄｉｏだけでなく、その他のメディアに対しても有効に活用することができる。この場合、ＡＯＰモードが設定されているときは、映像系ディスクは自動的に飛ばされ、音声系ディスクのみが選択的に切り替えられる。これにより、モニタ４が無いのに映像系ディスクが再生されてしまったり、運転者が映像を見たくないのに映像系ディスクが再生されてしまったりする不都合を防止できる。したがって、映像の再生が要らないディスクに切り替えて再生するために余分なスキップ操作を行う必要がなくなり、意図する音声系ディスクのみを最小限の操作で選択的に再生することが可能となる。
【００５５】
なお、上記実施形態では、マルチメディアチェンジャー１に収納可能なディスクの例としてＣＤ−ＤＡ、Ｖｉｄｅｏ−ＣＤ、ＤＶＤ−ＶｉｄｅｏおよびＤＶＤ−Ａｕｄｉｏを例に挙げたが、本発明はこれらを全て収納できるタイプのものに限定される訳ではない。すなわち、映像系ディスクで少なくとも１種類、音声系ディスクで少なくとも１種類を収納できるタイプのチェンジャーであれば本発明を適用することが可能である。
【００５６】
また、上記実施形態では、複数のディスクを昇順に切り替えながら再生する場合について説明したが、降順に切り替えながら再生する場合にも同様に本発明を適用することが可能である。また、自動切替機能によってランダムな順番で切り替えながら再生する場合にも適用することが可能である。
【００５７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【００５８】
【発明の効果】
本発明は上述したように、映像再生を必要とする第１の再生モードが設定されているときは映像系ディスクへの切り替えを許可し、映像再生を必要としない第２の再生モードが設定されているときは映像系ディスクへの切り替えを禁止するようにしたので、再生モードの設定をＤＶＤ−Ａｕｄｉｏ以外のメディアにも有効に活用することができる。また、第２のモードに設定しておけば、モニタへの再生が必要とされない音声系ディスクだけを選択的に切り替えて再生できるようになる。これにより、ユーザが希望する音声系ディスクに切り替えるために余分なスキップ操作を行う必要がなくなり、ユーザの操作負担を軽減することができるとともに、運転上の安全も確保することができる。
【図面の簡単な説明】
【図１】本発明のディスクチェンジャーを実施したマルチメディアチェンジャーを含む車載用ＡＶシステムの全体構成例を示すブロック図である。
【図２】設定されている再生モードに応じたディスク切替動作の違いを示す図である。
【図３】マルチメディアチェンジャーおよびマルチメディアマネージャの要部構成を示す機能ブロック図である。
【図４】制御部によるディスクの切替動作を示すフローチャートである。
【符号の説明】
１  マルチメディアチェンジャー
２  マルチメディアマネージャ
４  モニタ
１１  制御部
１２  ディスクドライブ
１３  再生部
１６  モニタ検出部
１７  再生モード設定部
１８  メモリ
２１  システムコントローラ
２２  操作部
【図１】
2004296022.tif 000003
【図２】
2004296022.tif 000004
【図３】
2004296022.tif 000005
【図４】
2004296022.tif 000006